(57)【要約】【課題】  従来の足枕は、保冷剤と、断熱材を介して設けた金属とで構成するので、金属の特徴である「接触時に冷気を付与し、またこの接触時に滞留した暖気を拡散可能」となる物性を十分に利用していない。また保冷剤の取扱いに手間を要し、厄介かつ煩雑である。【構成】  本発明は少なくとも使用時に血行促進に役立つ高さ・接触時に冷気を付与し、また接触時に滞留した暖気を拡散可能な物性を備えた金属、陶器等でなる冷気付与部と、防滑特性を備えたベース部とで構成した冷気付与を意図した足枕であり、少なくとも足に冷感を付与できる。【選択図】    図９
2006075343.tif 000002
【特許請求の範囲】
【請求項１】
少なくとも使用時に血行促進に役立つ高さ及び／又は接触時に冷気を付与し、またこの接触時に滞留した暖気を拡散可能な物性を備えた金属、陶器等でなる冷気付与部と、この冷気付与部に設けた防滑特性を備えたベース部と、で構成した冷気付与を意図した足枕。
【請求項２】
請求項１に記載の冷気付与部は、平板部と立上板部とで構成した側面視して略Ｌ形であって、この立上板部を足裏の形状と略相似形にする構成とした冷気付与を意図した足枕。
【請求項３】
少なくとも使用時に血行促進に役立つ高さ及び／又は接触時に冷気を付与し、またこの接触時に滞留した暖気を拡散可能な物性を備えた金属、陶器等でなる冷気付与部であって、
この冷気付与部は、側面視して偏平円筒形状とし、この偏平円筒形状の周面への足の接触を可能とするとともに、この偏平円筒形状の内部に形成した空洞への足の挿入を可能とする構成とした冷気付与を意図した足枕。
【請求項４】
請求項３に記載の側面視して偏平円筒形状の冷気付与部を、側面視して半截可能な構成とし、この半截状態における冷気付与部は、所定の高さを備えた脚部を有する構成とした冷気付与を意図した足枕。
【請求項５】
請求項１又は請求項３に記載の冷気付与部の各端部を、ゴム、プラスチック等で構成した緩衝手段を設ける構成とした足枕。
【発明の詳細な説明】
【技術分野】
【０００１】
本発明は、冷気付与を意図した足枕に関する。
【背景技術】
【０００２】
従来、この種の冷気付与を意図した足枕としては、市販されているものは見当たらない。しかし、この冷気付与を意図した足枕の効能は、体験したものであればその良さがわかるので、この良さの一例を説明する。即ち、この冷気付与を意図した足枕は、夏季等の如く、暑くて寝苦しい状態において重宝されており、具体的には、足を優しく冷やし、心地よい睡眠が楽しめる現実と、またこの快感を利用して疲労回復が図れ、明日への活力の源となる実益とが考えられる。その他として、病気、疲労等の治療においても、水枕が利用されるケースがある。しかし、この水枕に違和感を感ずることが間々発生する。例えば、この水枕が、体質的に合わない場合とか、また疾病等の症状が軽く、水枕を使用するほどでもない場合等が考えられる。このような場合に、利用できる熱さましが必要な場合もあり得る。この熱さましの簡易な方法が、本発明の意図する冷気付与した足枕（人体冷やし手段）と考えられる。
【０００３】
そして、この種の冷気付与を意図した足枕の先行文献としては、次に挙げる文献（１）〜（３）とがあるので、その概要を説明する。：  文献（１）は、特開２０００−１１８５７３であり、発明の名称は「保冷容器」である。この発明は、人や動物が肌で触れて冷感を味わうための保冷容器であって、この保冷容器は、人が座ったり寝たりした姿勢で、その肌で触れやすいように、座布団のような偏平な形状を有する保冷剤の収納部を備えた容器本体と、この容器本体に設けた穴のあいた断熱材と、この穴のあいた断熱材の上部に置いた金属を用いた上部外面材とで構成し、この収納部に収めた保冷剤の低温が断熱材の穴を通じて上部外面材に伝わる構造である。従って、この保冷容器に設けた保冷されている上部外面材に、人や動物が座ったり寝たりした姿勢で冷やされて体温の低下に役立ち、気持ちがよく、しかも快適な状態での生活が可能となることが特徴である。：  文献（２）は、特開平１１−８９６７７号であり、発明の名称は「足枕」である。この発明の概要は、芯材をカバーで被覆した足枕において、足を載せるカバーの下に保冷材、又は保温材を納める袋を構成したことを特徴とする足枕である。従って、湿布効果も得られるために、足の鬱血を取り除き得るばかりでなく、ひんやりと快適に使用できるとともに、疲労を早期に回復し得る足枕を提供できる特徴がある。：  文献（３）は、ＷＯ０１／０１５５７３であり、発明の名称は「冷却寝具、冷却座布団、冷却マット、冷却椅子、冷却服、並びに冷却靴」である。この冷却靴の概要は、足裏が接する部分近傍に形成された冷却流通路と、この冷却流通路に空気を流入させる流入口、及びこの冷却流通路から空気を流出させる流出口と、この流入口側又は流出口側のいずれかに設けられた電動ファンと、この電動ファンと冷却流通路との間に設けられた接続流通路とを有し、この電動ファンにより、体温よりも低い温度の周囲空気を冷却流通路より足裏に流通し、この足裏との温度勾配を大きくし、足から発せられる熱の放熱により体温の低下を図る冷却靴である。従って、部屋全体の温度を下げるのではなく、人の体表からごく近い部分に、部屋と同じ温度の空気の層を形成して体表付近の温度勾配を強制的に大きくし、熱の放出量を多くし、涼しさを体感できるようにすることを特徴とする。
【０００４】
【特許文献１】特開２０００−１１８５７３
【特許文献２】特開平１１−８９６７７号
【特許文献３】ＷＯ０１／０１５５７３
【発明の開示】
【発明が解決しようとする課題】
【０００５】
前記文献（１）は、断熱材を介して金属を設けた構成であるので、金属の特徴である「接触時に冷気を付与し、またこの接触時に滞留した暖気を拡散可能」となる物性を十分に利用していないので、改良の余地が考えられる。また金属板は、孔より放出される保冷剤の冷気で冷やされる構成であり、金属の優れた物性を有効利用していないこと、また保冷剤の取扱い（保冷剤の充填・取替え・保管等）に手間を要し、煩雑なものである。
【０００６】
また文献（２）は、この発明も、収納部に保冷材を収納する構成であり、前記文献（１）と同じ問題点を抱えている。またこの発明は、足のふくろはぎから爪先までの広いエリアを対象とすることから（大型の構造であり）、ふとんにセットして現実に使用することを想定すると、幾つかの問題点を抱えていると考えられる。例えば、使用しない場合には、狭いふとんの中において置き場所に困ること、また使用の場合には、上ふとんが膨れあがり、快適な睡眠の邪魔になり兼ねないこと等の如く、現実に使用の際に、違和感を感ずることから汎用性に欠けることが考えられる。
【０００７】
次に文献（３）は、発明の名称の如く、冷却寝具、冷却座布団、冷却マット、冷却椅子、冷却服、並びに冷却靴であり、足枕とは基本的な構成の違いがあって、転用できない構造である。尚、文献として挙げた理由は、人体を冷却するとの大きな流れの中での一例である。
【課題を解決するための手段】
【０００８】
請求項１の発明は、簡単な構造であっても、冷気付与を意図した足枕として最高の機能を発揮できる冷気付与を意図した足枕の提供を意図すること、又は金属・陶器等の物性と接触面積の拡充との特徴を最大限に利用すること、又はこの金属、陶器等の欠点（重さと硬さ）を回避できる構造の冷気付与を意図した足枕を提供すること等を意図する。また経済的で、簡易に持ち運びができる構造、また各人の体の状況（健康、疾病、嗜好等）に対応できる構造とし、汎用性と使用の簡便性を図ることを意図する。
【０００９】
請求項１は、少なくとも使用時に血行促進に役立つ高さ及び／又は接触時に冷気を付与し、またこの接触時に滞留した暖気を拡散可能な物性を備えた金属、陶器等でなる冷気付与部と、この冷気付与部に設けた防滑特性を備えたベース部と、で構成した冷気付与を意図した足枕である。
【００１０】
請求項２の発明は、請求項１の目的を達成し、またこの目的を達成するのに最適な冷気付与部の提供を意図する。
【００１１】
請求項２は、請求項１に記載の冷気付与部は、平板部と立上板部とで構成した側面視して略Ｌ形であって、この立上板部を足裏の形状と略相似形にする構成とした冷気付与を意図した足枕である。
【００１２】
請求項３の発明は、極めて簡単な構造であっても、冷気付与を意図した足枕として最高の機能を発揮できる構造の冷気付与を意図した足枕の提供と、又は金属・陶器等の物性と接触面積の拡充との特徴を最大限に利用すること、また冷気付与部への足の挿入を介して癒しとひんやりとした感覚等を満喫できる構造の冷気付与を意図した足枕の提供とを意図する。また経済的で、簡易に持ち運びができる構造（形態に最適な構造）とし、汎用性と使用の簡便性を図ることを意図する。
【００１３】
請求項３は、少なくとも使用時に血行促進に役立つ高さ及び／又は接触時に冷気を付与し、またこの接触時に滞留した暖気を拡散可能な物性を備えた金属、陶器等でなる冷気付与部であって、
この冷気付与部は、側面視して偏平円筒形状とし、この偏平円筒形状の周面への足の接触を可能とするとともに、この偏平円筒形状の内部に形成した空洞への足の挿入を可能とする構成とした冷気付与を意図した足枕である。
【００１４】
請求項４の発明は、請求項３の目的を達成し、またこの目的を達成するのに最適な冷気付与部の提供を意図する。
【００１５】
請求項４は、請求項３に記載の側面視して偏平円筒形状の冷気付与部を、側面視して半截可能な構成とし、この半截状態における冷気付与部は、所定の高さを備えた脚部を有する構成とした冷気付与を意図した足枕である。
【００１６】
請求項５の発明は、請求項１又は請求項３の目的を達成し、またこの目的を達成するのに最適な冷気付与部の提供を意図する。
【００１７】
請求項５は、請求項１又は請求項３に記載の冷気付与部の各端部を、ゴム、プラスチック等で構成した緩衝手段を設ける構成とした足枕である。
【発明の効果】
【００１８】
請求項１の発明は、少なくとも使用時に血行促進に役立つ高さ及び／又は接触時に冷気を付与し、また接触時に滞留した暖気を拡散可能な物性を備えた金属、陶器等でなる冷気付与部と、冷気付与部に設けた防滑特性を備えたベース部と、で構成した冷気付与を意図した足枕である。
【００１９】
従って、請求項１は、簡単な構造であっても、冷気付与を意図した足枕として最高の機能を発揮できる冷気付与を意図した足枕の提供を意図できること、又は金属・陶器等の物性と接触面積の拡充との特徴を最大限に利用できること、又はこの金属、陶器等の欠点（重さと硬さ）を回避できる構造の冷気付与を意図した足枕を提供できること等の特徴がある。また経済的で、簡易に持ち運びができる構造、また各人の体の状況に対応できる構造とし、汎用性と使用の簡便性が図れる実益がある。
【００２０】
請求項２の発明は、請求項１に記載の冷気付与部は、平板部と立上板部とで構成した側面視して略Ｌ形であって、立上板部を足裏の形状と略相似形にする構成とした冷気付与を意図した足枕である。
【００２１】
従って、請求項２は、請求項１の目的を達成できること、またこの目的を達成するのに最適な冷気付与部を提供できること等の特徴がある。
【００２２】
請求項３の発明は、少なくとも使用時に血行促進に役立つ高さ及び／又は接触時に冷気を付与し、また接触時に滞留した暖気を拡散可能な物性を備えた金属、陶器等でなる冷気付与部であって、
冷気付与部は、側面視して偏平円筒形状とし、偏平円筒形状の周面への足の接触を可能とするとともに、偏平円筒形状の内部に形成した空洞への足の挿入を可能とする構成とした冷気付与を意図した足枕である。
【００２３】
従って、請求項３は、極めて簡単な構造であっても、冷気付与を意図した足枕として最高の機能を発揮できる構造の冷気付与を意図した足枕を提供できること、又は金属・陶器等の物性と接触面積の拡充との特徴を最大限に利用できること、また冷気付与部への足の挿入を介して癒しとひんやりとした感覚等を満喫できる構造の冷気付与を意図した足枕を提供できること等の特徴がある。また経済的で、簡易に持ち運びができる構造（形態に最適な構造）とし、汎用性と使用の簡便性が図れる実益がある。
【００２４】
請求項４の発明は、請求項３に記載の側面視して偏平円筒形状の冷気付与部を、側面視して半截可能な構成とし、半截状態における冷気付与部は、所定の高さを備えた脚部を有する構成とした冷気付与を意図した足枕である。
【００２５】
従って、請求項４は、請求項３の目的を達成できること、またこの目的を達成するのに最適な冷気付与部を提供できること等の特徴がある。
【００２６】
請求項５の発明は、請求項１又は請求項３に記載の冷気付与部の各端部を、ゴム、プラスチック等で構成した緩衝手段を設ける構成とした足枕である。
【００２７】
従って、請求項５は、請求項１又は請求項３の目的を達成できること、またこの目的を達成するのに最適な冷気付与部を提供できること等の特徴がある。
【発明を実施するための最良の形態】
【００２８】
以下、本発明の実施の態様（形態）を説明する。
【００２９】
図面の説明をする。図１〜図３は平板部と立上板部とで構成した略Ｌ形の冷気付与部を有する第一の例を示した冷気付与を意図した足枕であり、この図１は冷気付与を意図した足枕の斜視図、図２、図３は図１の使用状態の一例をそれぞれ示した斜視図である。図４、図５は偏平円筒形状で構成した冷気付与部を有する第二の例を示した冷気付与を意図した一部欠截の足枕であり、この図５は図４の使用状態の一例をそれぞれ示した斜視図である。図６は前記図４で示した第二の例の冷気付与部を、その偏平方向で略半截して構成した第三の例の冷気付与部を示した一部欠截の足枕であり、図７は図４の使用状態の一例をそれぞれ示した斜視図である。図８、図９は偏平円筒形状で構成した冷気付与部を有する第四の例を示した冷気付与を意図した一部欠截の足枕であり、この図９は図８の使用状態の一例をそれぞれ示した斜視図である。図１０、図１１は偏平円筒形状で構成した冷気付与部を有する第五の例を示した冷気付与を意図した一部欠截の足枕であり、この図１１は図１０の使用状態の一例をそれぞれ示した斜視図である。
【００３０】
以下、本発明の一例を説明する。その基本な構造は、冷気付与部１とベース部２とで構成する。そして、この冷気付与部１は、接触時に少なくとも足Ｈ１に冷気を付与し、また接触時に滞留した暖気を拡散可能な特性を備えた金属、陶磁器、これらの融合構造等で構成する。またベース部２は、ふとん、床、又は畳等にセットした状態で、少なくとも血行促進に役立つ高さ（以下、高さとする）と防滑特性を備えた構成とする。そして、このベース部２は、ゴム、プラスチック等の緩衝部材又は線材等の可撓性部材、硬性部材等が望ましい。またこの冷気付与部１とベース部２は、厳格に区別する必要がなく、例えば、枠を金属とし、冷気箇所を陶器等とした複合構造でも可能である。尚、前記血行促進を意図する高さの程度は、僅かな高さの一例である図１〜図３の一例から、標準的な高さの一例である図４〜図１０の一例があり、適宜選択使用することで、各人の希望、状況等に対応できる構造を採用する。以上で説明した基本な構造を踏襲する限り本発明の範疇であるが、代表的な各例を図示し、この図面を基に説明する。またこの冷気付与を意図した足枕（足枕とする）としての使用は、例えば、冷房の雰囲気下において、蓄冷しての使用を図る方法、また蓄冷後に冷房終了しての使用を図る方法、さらには蓄冷後の他の箇所での使用を図る方法等が理想であるが限定されない。また図示しないが蓄冷を図る他の手段及び／又はこの蓄冷を急ぐ場合には、例えば、冷蔵庫、冷凍庫、冷水等の蓄冷手段で行う場合もあり得る。また金属製の例では、銅製では殺菌効果、アルミでは軽量化、再利用の容易化の効果があり、また鋳物では安定性、重量感の効果があり、それぞれの特徴を利用して製造及び／又は使用する。また陶器製では肌へのいたわり、肌への馴染みと、安定性、質感、重量感の効果が考えられる。尚、冷気付与部１の各端部に、ゴム、プラスチック等に緩衝手段を設け、この緩衝手段をベース部２に代替することも可能である。尚、冷気付与部１自体で高さを確保する例もあり得る（各図参照）。
【００３１】
以下、本発明の好ましい一例を示した各図に従って説明すると、
図１〜図３は第一の例であって、冷気付与部１は、平板部１００と立上板部１０１とで構成し、原則として一枚の金属板で構成し、また望ましくは立上板部１０１の上部等の外郭形状１０１ａ及び／又は面形状（図示せず）を足形にし、人Ｈの足Ｈ１にフィットする構造とする。そして、この例では、人Ｈが横臥した状態で、足Ｈ１を横方向に添接しての使用例（図２参照）、また人Ｈが仰俯した状態で、足Ｈ１を縦方向に添接しての使用例（図３参照）等が図れるので、各人の寝る姿勢にマッチできること、汎用性があること、又は冷気付与に有効であること等の特徴がある。
【００３２】
次に図４、図５は第二の例であって、冷気付与部１は、半截可能な偏平円筒形状であって、中央部の近傍及び／又は側面に窪み１０２を構成し、望ましくは、この窪み１０２を足Ｈ１の腱近傍まで添接する使用例（図示せず）が考えられる。またこの偏平円筒形状の空洞１０３内に足Ｈ１を挿入又はすっぽり入れての使用例（図５参照）とが考えられる。そして、この第二の例では、主に冷気付与部１の形を利用して高さを確保する。
【００３３】
また図６、図７は第三の例であって、冷気付与部１は、前記第二の例で示した偏平円筒形状の冷気付与部１を偏平方向で略半截した構成であり、中央部の近傍に窪み１０２を構成し、望ましくは、この窪み１０２を足Ｈ１の腱近傍まで添接する使用例（図示せず）が考えられる。またこの偏平円筒形状の半截空洞１０３ａ内に足Ｈ１を挿入又はすっぽり入れ、足Ｈ１の上面を被うような使用例（図７参照）とが考えられる。また場合により、図７の逆向きの使用例もあり得る。この第三の例では冷気付与部１に脚部１ａが形成される。そして、この第三の例では、冷気付与部１の形及び／又は脚部１ａを利用して高さを確保する。
【００３４】
さらに図８、図９は第四の例であって、冷気付与部１は、偏平円筒形状であって、中央部の近傍及び／又は側面に平坦部１０４を構成し、望ましくは、この平坦部１０４を足Ｈ１の腱近傍まで添接する使用例（図９参照）が考えられる。またこの偏平円筒形状の空洞１０３内に足Ｈ１を挿入又はすっぽり入れての使用例（図示せず）とが考えられる。そして、この第四の例では、主に冷気付与部１の形を利用して高さを確保する。
【００３５】
さらに図１０、図１１は第五の例であって、冷気付与部１は、偏平円筒形状であって、中央部の近傍及び／又は側面に曲面部１０５を構成し、望ましくは、この曲面部１０５を足Ｈ１の腱近傍まで添接する使用例（図示せず）が考えられる。またこの偏平円筒形状の空洞１０３内に足Ｈ１を挿入又はすっぽり入れての使用例（図１１参照）とが考えられる。
【００３６】
尚、図示しないが冷気付与部１の適所に、磁石、凹凸部、低周波手段、振動手段等の他の構造を付加し、この各構造の効果及び／又は効能を、本来の冷やし効果に付加することで、一層、本発明の特徴、効能等を満喫できる特徴がある。そして、この第五の例では、主に冷気付与部１の形を利用して高さを確保する。
【図面の簡単な説明】
【００３７】
【図１】平板部と立上板部とで構成した略Ｌ形の冷気付与部を有する第一の例を示した冷気付与を意図した足枕の斜視図
【図２】図１に示した第一の例の使用例であり、足を立上板部に横方向に添接しての使用例を示した斜視図
【図３】図１に示した第一の例の使用例であり、足を立上板部に縦方向に添接しての使用例を示した斜視図
【図４】半截可能な偏平円筒形状の冷気付与部を有する第二の例を示した冷気付与を意図した足枕の斜視図
【図５】第二の例において偏平円筒形状の空洞内に足をすっぽり入れた使用例を示す斜視図
【図６】偏平円筒形状を半截した冷気付与部を有する第三の例を示した冷気付与を意図した一部欠截の足枕の斜視図
【図７】第三の例において半截空洞内に足をすっぽり入れての使用例を示す斜視図
【図８】偏平円筒形状で平坦部を備えた冷気付与部を有する第四の例を示した冷気付与を意図した一部欠截の足枕の斜視図
【図９】第四の例において偏平円筒形状の平坦部に足の腱近傍まで添接する（載置した）使用例を示す斜視図
【図１０】偏平円筒形状で曲面部を備えた冷気付与部を有する第五の例を示した冷気付与を意図した一部欠截の足枕の斜視図
【図１１】第五の例において半截空洞内に足をすっぽり入れてた使用例を示す斜視図
【符号の説明】
【００３８】
１              冷気付与部
１ａ            脚部
１００          平板部
１０１          立上板部
１０１ａ        外郭形状
１０２          窪部
１０３          空洞
１０３ａ        半截空洞
１０４          平坦部
１０５          曲面部
２              ベース部
Ｈ              人
Ｈ１            足
【図１】
2006075343.tif 000003
【図２】
2006075343.tif 000004
【図３】
2006075343.tif 000005
【図４】
2006075343.tif 000006
【図５】
2006075343.tif 000007
【図６】
2006075343.tif 000008
【図７】
2006075343.tif 000009
【図８】
2006075343.tif 000010
【図９】
2006075343.tif 000011
【図１０】
2006075343.tif 000012
【図１１】
2006075343.tif 000013